(57)【特許請求の範囲】
【請求項１】
試料の分析を行う分析装置に於いて、
上記試料の分析に使用される、上記分析装置に搭載された試薬の残量を検出する残量検出手段と、
設定された条件に対応した過去の所定期間に測定された試料の情報が記憶された記憶手段と、
上記記憶手段に記憶されている過去の試薬の情報と上記残量検出手段により検出された試薬残量とに基いて、今後の測定に必要な試薬量を算出して上記分析装置に搭載された試薬量の不足を判定すると共に試薬不足量を算出する算出手段と、
上記算出手段で算出された、今後の測定に必要な試薬量及び試薬不足量を表示する表示手段と、
を具備することを特徴とする分析装置。
【請求項２】
更に、上記算出手段で算出される上記測定に必要な試薬量及び試薬不足量の値を補正する補正値入力手段を具備することを特徴とする請求項１に記載の分析装置。
【請求項３】
上記表示手段は、上記試薬不足量を警告表示することを特徴とする請求項１若しくは２に記載の分析装置。
【請求項４】
更に、分析装置の外部に保管されている試薬の在庫情報を記憶する試薬在庫量記憶手段を具備し、
上記記憶手段に記憶された過去の所定期間に測定された試料に対する試薬数の情報及び上記試薬在庫量記憶手段に記憶された在庫情報に基づき、在庫管理をすることを特徴とする請求項１に記載の分析装置。
【発明の詳細な説明】
【０００１】
【発明の属する技術分野】
本発明は、過去の分析量から必要試薬量を算出して、１つ以上の装置内の試薬情報に基く在庫管理が可能な自動分析装置に関するものである。
【０００２】
【従来の技術】
従来、自動分析装置に於いて、試薬庫に保持されている各試薬容器内の試薬量を管理するには、試薬庫の各試薬容器内の試薬量を試薬量検知機構によりそれぞれ検知し、その検知信号に基いて表示装置に項目別に試薬量を表示させている。
【０００３】
また、特開平５−１６４７６０号公報には、制御部に各サンプル容器内のサンプルに対する測定項目の選択情報及び各測定項目に関する試薬量等の測定パラメータと、試薬量検知手段により検知された各試薬瓶内の試薬残量とを入力して、各試薬毎の測定サンプル数及び各試薬の使用量から測定に必要な試薬量を求め、試薬必要量を試薬残量と共に表示装置に表示、または試薬不足量分も併せて表示する自動分析装置が開示されている。
【０００４】
上述した構成の自動分析装置によれば、オペレータは、装置に搭載している試薬量を確認することが可能である。この場合、オペレータは、装置に搭載されている試薬量と、その日に分析する検体数を確認して、試薬の追加が必要であるか否かをチェックして、搭載する試薬量の調整を行っていた。
【０００５】
【発明が解決しようとする課題】
このように、オペレータは、分析中に試薬切れを起こさないためには、搭載試薬量と分析する検体数を常に監視しながら操作をしなければならないものであり、負担が大きいものであった。
【０００６】
また、分析途中で装置に搭載された試薬に不足が発生すると、分析が中断されてしまう。そのため、試薬を追加して再度分析を行うことは、時間の無駄が発生するものであった。
【０００７】
更に、上述した特開平５−１６４７６０号公報に開示された自動分析装置で、項目選択情報から試薬の必要量を算出するものであるが、上記項目選択情報は検体を予め用意しておいて、どのような受付をするのかを分析開始前に調べておかないと試薬がどれくらい必要かがわからない。
【０００８】
本発明は、上記実状に鑑みてなされたもので、オペレータの負担を軽減して、分析途中に装置に搭載されている試薬量が不足することなく、試薬の在庫管理を行うことのできる分析装置を提供することを目的とするものである。
【０００９】
【課題を解決するための手段】
すなわちこの発明は、試料の分析を行う分析装置に於いて、上記試料の分析に使用される、上記分析装置に搭載された試薬の残量を検出する残量検出手段と、設定された条件に対応した過去の所定期間に測定された試料の情報が記憶された記憶手段と、上記記憶手段に記憶されている過去の試薬の情報と上記残量検出手段により検出された試薬残量とに基いて、今後の測定に必要な試薬量を算出して上記分析装置に搭載された試薬量の不足を判定すると共に試薬不足量を算出する算出手段と、上記算出手段で算出された、今後の測定に必要な試薬量及び試薬不足量を表示する表示手段と、を具備することを特徴とする。
【００１４】
【発明の実施の形態】
以下、図面を参照して、本発明の一実施の形態を説明する。
【００１５】
図１は本発明の一実施の形態である自動分析装置の構成を示した機能ブロック図である。
【００１６】
図１に於いて、自動分析装置１は、外部のホスト（ＨＯＳＴ）コンピュータ１０に接続されている。このホストコンピュータ１０からは、例えばキーボード等で構成される項目受付部１１により入力される受付項目と共に、その受け付け項目数が分析／演算部１２に供給される。そして、この分析／演算部１２で得られた分析結果は、データ記憶部１４に出力されて記憶される。
【００１７】
このデータ記憶部１４には、上記分析結果の他、自動分析装置１の外部の試薬在庫情報入力部１５からの在庫量のデータと、試薬過不足手動判定値入力部１６から初期判定値が供給される。そして、このデータ記憶部１４に記憶された各種データは、試薬残量検出部１７にて検出された試薬残量と、判定補正値入力部１８から得られた補正値と共に、試薬／在庫過不足判定部２０に供給される。
【００１８】
更に、この試薬／在庫過不足判定部で判定された結果は、ＣＲＴディスプレイ等で構成される判定値表示部２１上に表示される。
【００１９】
このような構成に於いて、分析／演算部１２では、過去に分析装置で測定された各検体に対する試薬の情報等が、ホストコンピュータ１０から入力される。一方、項目受付部１１から、各検体に対して受け付けるべく項目や分析対象となる過去の期間等が入力される。上記分析／演算部１２では、上述した情報に基いて、過去に分析した所定の期間の分析結果が得られる。ここで得られた分析結果が、データ記憶部１４に記憶される。
【００２０】
そして、試薬在庫情報入力部１５より現在の試薬の在庫量が入力されて、データ記憶部１４に記憶される。また、試薬過不足手動判定値入力部１６からは、初期判定値として、試薬の過不足料を判定するための判定値がデータ記憶部１４に入力され、記憶される。更に、データ記憶部１４には、試薬／在庫過不足判定部２０に於ける演算処理時に用いられる各測定項目に対応する試薬分注量等の測定パラメータが記憶される。
【００２１】
試薬／在庫過不足判定部２０には、試薬残量検出部１７により検出された試薬残量と、判定補正値入力部１８からの補正値が入力される。それと共に、試薬／在庫過不足判定部２０では、データ記憶部１４に記憶されている当該データが読み出されて、演算が実行されて測定に必要な試薬量、つまり試薬必要量や試薬不足量が求められる。
【００２２】
そして、上記入力された各種の情報に基いて、試薬／在庫過不足判定部２０で判定された結果が、判定値表示部２１にて表示される。
【００２３】
ところで、オペレータにより、検体が図示されないトレイにセットされると、このセットされた検体に対して、試薬／在庫過不足判定部２０に於いて、試薬残量検出部１７で検出された試薬の残量についての情報が供給される。同時に、データ記憶部１４に記憶されている過去に受け付けた項目の情報が読出される。そして、上記試薬／在庫過不足判定部２０では、試薬の物理量を基に所定の演算が行われれることにより、当該検体中の目的物質の濃度あるいは活性値が求められ、判定値表示部２１にその結果が表示される。
【００２４】
ここで、上記データ記憶部１４に記憶されている過去に受け付けた項目の情報とは、例えば、過去の所定の期間に、対象となる検体に対してどのような試薬がどれだけ必要であったかを表したものである。
【００２５】
図２は、判定値表示部２１に表示される判定値設定画面の例を示した図である。この場合、「自動設定モード」に於いて、抽出対象となる検体の受け付け期間は、２０００年４月１日〜２００１年３月３１日であり、受付項目は曜日毎に設定されている。すなわち、上記期間に於いて受け付けた結果が過去の分析量であるので、これらを曜日毎（月曜〜日曜）に項目分けする。そして、過去の分析量に基いて、受付項目部の曜日毎に、それぞれの試薬の予想分析数が表示されている。この予想分析数は、各試薬毎の測定検体数と各試薬の使用量から、測定に必要な試薬量として求められる。
【００２６】
このとき、予想分析数は、判定補正値入力部１８によって、その数値を変更可能である。上述した予想分析数は、データ記憶部１４に記憶されている過去の受付項目についてのものであるので、オペレータの入力によって予想分析数を変更する必要が生じた場合に変更が可能である。
【００２７】
例えば、図２に示される判定値設定画面では、ほとんどの試薬について、水曜日と木曜日の分析数が多くなっていることがわかる。これは、過去のデータ（上記期間に於けるデータ）から水曜日と木曜日が多くなる判断して、同図に示されるような予想分析数を算出したものである。
【００２８】
尚、上述した例では自動設定の場合について説明したが、図２に示される判定値設定画面のタブをマウス等でクリックすることにより、「手動設定モード」の画面に切り替わる。この場合、上述した予想分析数は、全てオペレータが手動にて入力することになる。
【００２９】
図３は、在庫管理画面の例を示した図である。
【００３０】
図３に於いて、項目名には試薬が入力されており、これらの試薬について使用された箱数と当該試薬の在庫数量が表示されている。この残量は、試薬在庫情報入力部１５より入力された値を基に試薬／在庫過不足判定部２０が算出するものである。
【００３１】
また、図４は過不足予測画面の表示例を示した図である。
【００３２】
この過不足予測画面は、上述した図２に示される判定値設定画面と図３に示される在庫管理画面の情報に基いて算出される。図４に示される過不足予測画面に於いて、各試薬に対して、左から予測数、Ｒ１残量、Ｒ２残量の欄が表示されている。そして、更に上記予測数、Ｒ１残量、Ｒ２残量から、Ｒ１過不足、Ｒ２過不足の欄が表示されている。
【００３３】
この場合、試薬ＧＰＴ、ＧＯＴはＲ１、Ｒ２の何れも不足であり、試薬ＣＨＯについてはＲ２が不足していることがわかる。更に、図４に於いて斜線で示される欄は試薬の在庫があることを示しており、上記試薬ＧＰＴ及びＣＨＯがこれに相当する。また、図４に於いて網掛けで示される欄は在庫が無いことを示しており、試薬ＧＯＴがこれに相当する。つまり、過不足予測画面を見て、不足することが予想される試薬については他の欄とは識別可能な表示にすることにより、オペレータが容易に認識することができる。
【００３４】
したがって、オペレータは、このような過不足予測画面を見ることで、試薬の在庫情報を容易に把握することができる。
【００３５】
尚、上述した実施の形態では、分析必要試薬量が不足している欄を斜線若しくは網掛け表示で説明したが、表示画面上で不足の欄を区別することができれば良く、例えば他の欄と色を異ならせて表示するようにしても良い。
【００３６】
更に、分析必要試薬量が不足している場合にオペレータに注意を促すものであれば、例えば警告音等による告知手段であっても良い。
【００３７】
また、過去にどういう分析をしたかというデータに基いて試薬使用量を想定するので、特定の期間に於ける傾向から、通常とは異なる必要試薬量も予測が容易になる。
【００３８】
このように、本実施の形態によれば、過去に分析した分析量を基に必要分析量または試薬使用量を算出するので傾向を掴みやすく、また、分析を実行する前に搭載試薬量と過去の分析情報から算出された分析必要試薬量、想定試薬使用量が同一画面上に表示されるので、オペレータが試薬の過不足を容易に把握することができる。これにより、試薬の在庫管理を行うことが容易になる。
【００３９】
また、過去の分析必要試薬量の算出、想定試薬量は、曜日毎に設定するだけでなく、例えば季節や時間単位で算出、余裕度の設定ができるようにしても良い。この場合、手動判定値が１つ以上のパターンを有することにより、不定期に発生する事象、例えば、集団検診の突発的な依頼にも対応が可能となる。
【００４０】
このようにすることにより、分析使用試薬量を過不足無く、且つ、より必要量にできるだけ近い量で算出することが可能となる。
【００４１】
【発明の効果】
以上のように本発明によれば、オペレータの負担を軽減して、分析途中に装置に搭載されている試薬量が不足するために分析が中断することなく、試薬の在庫管理を行うことのできる分析装置を提供することができる。
【図面の簡単な説明】
【図１】本発明の一実施の形態である自動分析装置の構成を示す機能ブロック図である。
【図２】判定値設定画面の例を示した図である。
【図３】在庫管理画面の例を示した図である。
【図４】過不足予測画面の表示例を示した図である。
【符号の説明】
１  自動分析装置、
１０  ホスト（ＨＯＳＴ）コンピュータ、
１１  項目受付部、
１２  分析／演算部、
１４  データ記憶部、
１５  試薬在庫情報入力部、
１６  試薬過不足手動判定値入力部、
１７  試薬残量検出部、
１８  判定補正値入力部、
２０  試薬／在庫過不足判定部、
２１  判定値表示部。
【図１】
0003610345.tif 000002
【図２】
0003610345.tif 000003
【図３】
0003610345.tif 000004
【図４】
0003610345.tif 000005